(57)【要約】【課題】手洗い時にすぐ温水を吐出できる手洗い装置を備えるトイレシステムの提供。【解決手段】貯湯タンク１１と、温水を内部に循環させて暖める暖房手段２２をもつ便座２１と、局部洗浄手段３１と手洗い用水栓４１、貯湯タンク１１から水栓４１に至る手洗い用配管４２及び配管４２からの流れを分岐する分岐手段４３を備える手洗い手段、と使用者の立ち上がり動作を検知する着座センサを備え、使用者の立ち上がりに基づいて、配管４２に温水を供給し且つ配管４２からの流れを分岐手段４３により分岐させて配管４２内の温水温度を安定化する制御手段と、を有する。使用者の立ち上がりを検知して手洗い用水栓４１に温水を供給する配管４２内に温水を循環させることで、手洗いを行う前に配管４２内を温水で満たすことが可能になり、手洗いを温水にて快適に行うことが可能になる。【選択図】図１
2008082054.tif 000002
【特許請求の範囲】
【請求項１】
温水を供給する給湯手段と、
前記給湯手段から供給される温水を内部に循環させて暖める温水暖房手段をもつ便座と、
局部に向けて洗浄水を吹き出す洗浄ノズルをもつ局部洗浄手段と、
手洗い用水栓と、前記給湯手段から該手洗い用水栓に至る手洗い用配管と、該手洗い用水栓に至る前の該手洗い用配管からの流れの全部乃至一部を分岐する分岐手段と、を備える手洗い手段と、
使用者の所定動作を検知する動作検知センサを備え、該動作検知センサが検知した該使用者の該所定動作に基づいて、前記給湯手段から前記手洗い用配管に温水を供給し且つ前記手洗い用配管からの流れの全部乃至一部を前記分岐手段により分岐させて前記手洗い用配管内の温水温度を安定化する制御手段と、を有することを特徴とするトイレシステム。
【請求項２】
前記動作検知センサは着座センサ及び人検知センサのうちの少なくとも一方であり、
前記使用者の所定動作としては、前記着座センサが検知する前記使用者の前記便座からの立ち上がり動作及び／又は前記人検知センサが検知する前記使用者の接近動作を用いる請求項１に記載のトイレシステム。
【請求項３】
前記動作検知センサは前記人検知センサを備え、
前記制御手段は前記人検知センサが検知した前記使用者の接近動作に基づいて、前記給湯手段から前記温水暖房手段に温水を供給させる請求項１又は２に記載のトイレシステム。
【請求項４】
前記動作検知センサは前記着座センサを備え、
前記制御手段は前記人検知センサが人の接近を検知した後、前記着座センサが前記使用者の前記便座への着座を所定時間検知しない場合に前記給湯手段から前記温水暖房手段への温水供給を停止する請求項３に記載のトイレシステム。
【請求項５】
前記温水暖房手段は前記便座の着座面側に配置し且つ該着座面側の面を熱伝導性が相対的に高い材料で形成し該着座面以外の面を断熱部材で形成した温水流路を備え、
閉位置において前記便座の前記着座面を広がり方向に隙間なく覆い且つ断熱性が高い蓋断熱部材と、該閉位置において該着座面の周囲を囲むように該蓋断熱部材の該着座面側に設けられ前記便座に密着して該着座面側の空間を密閉するパッキングとを備え、開位置及び前記閉位置の間で揺動可能に枢支される便座蓋体を有する請求項１〜４のいずれかに記載のトイレシステム。
【発明の詳細な説明】
【技術分野】
【０００１】
本発明は、便座暖房、局部洗浄及び手洗いを温水によって行うことができる快適なトイレシステムに関する。
【背景技術】
【０００２】
従来技術として、局部洗浄用のノズル装置と、内部に湯の通過流路を形成して表面を暖房可能な便座と、外部の給水源及び給湯源に接続され水と湯とを混合するバルブユニットとを備え、ノズル装置及び便座をバルブユニットの下流側に設けて流路を接続し、便座には供給した湯を外部に排出する流路系を設け、バルブユニットは、ノズル装置及び便座側へ向かう流路を独立して開閉制御可能な弁機構を備えるトイレが開示されている（特許文献１）。
【０００３】
また、トイレユニット内に温水器を設けその温水を洗浄、便座表面の暖房、床暖房、手洗いに利用することが開示されている（特許文献２）。
【特許文献１】実開平６−１２５７８号公報
【特許文献２】特開平９−２７３３２２号公報
【発明の開示】
【発明が解決しようとする課題】
【０００４】
しかしながら、特許文献２に開示のトイレシステムでは手洗いを行う部材と局部洗浄用ノズルとの間が離れているので、いずれか一方（通常は手洗いを行う部材）は給湯源との間の配管長が長くなる。従って、配管内に残った冷水が使用開始直後に吐出することになり不快感を感じることになる。
【０００５】
本発明は上記実情に鑑みて完成されたものであり、手洗いを行いたい時にすぐ温水を吐出することができる手洗い装置を備えるトイレシステムを提供することを解決すべき課題とする。
【課題を解決するための手段】
【０００６】
上記課題を解決する本発明のトイレシステムは、温水を供給する給湯手段と、
前記給湯手段から供給される温水を内部に循環させて暖める温水暖房手段をもつ便座と、
局部に向けて洗浄水を吹き出す洗浄ノズルをもつ局部洗浄手段と、
手洗い用水栓と、前記給湯手段から該手洗い用水栓に至る手洗い用配管と、該手洗い用水栓に至る前の該手洗い用配管からの流れの全部乃至一部を分岐する分岐手段と、を備える手洗い手段と、
使用者の所定動作を検知する動作検知センサを備え、該動作検知センサが検知した該使用者の該所定動作に基づいて、前記給湯手段から前記手洗い用配管に温水を供給し且つ前記手洗い用配管からの流れの全部乃至一部を前記分岐手段により分岐させて前記手洗い用配管内の温水温度を安定化する制御手段と、を有することを特徴とする。
【０００７】
使用者が手洗いを行う前に必然的に現れる所定の動作を検知して、その動作に基づいて手洗い用水栓に温水を供給する手洗い用配管内に温水を循環させることで、手洗いを行う前に手洗い用配管内を温水で満たすことが可能になり、手洗いを温水にて快適に行うことが可能になる。
【０００８】
手洗いを行うことが予測できる使用者の所定の動作としては、便座からの立ち上がり、使用者の便座や便器などへの接近、便器内の洗浄、局部洗浄の開始若しくは終了、局部乾燥の開始若しくは終了、トイレットペーパの使用、トイレシステム内における照明のオンオフなどが挙げられる。
【０００９】
特に、前記動作検知センサは着座センサ及び人検知センサのうちの少なくとも一方であり、前記使用者の所定動作としては、前記着座センサが検知する前記使用者の前記便座からの立ち上がり動作及び／又は前記人検知センサが検知する前記使用者の接近動作を用いることが望ましい。
【００１０】
そして、前記動作検知センサは前記人検知センサを備え、前記制御手段は前記人検知センサが検知した前記使用者の接近動作に基づいて、前記給湯手段から前記温水暖房手段に温水を供給させることが望ましい。この場合に、前記動作検知センサは前記着座センサを備え、前記制御手段は前記人検知センサが人の接近を検知した後、前記着座センサが前記使用者の前記便座への着座を所定時間検知しない場合に前記給湯手段から前記温水暖房手段への温水供給を停止することが望ましい。
【００１１】
更に、前記温水暖房手段は前記便座の着座面側に配置し且つ該着座面側の面を熱伝導性が相対的に高い材料で形成し該着座面以外の面を断熱部材で形成した温水流路を備え、
閉位置において前記便座の前記着座面を広がり方向に隙間なく覆い且つ断熱性が高い蓋断熱部材と、該閉位置において該着座面の周囲を囲むように該蓋断熱部材の該着座面側に設けられ前記便座に密着して該着座面側の空間を密閉するパッキングとを備え、開位置及び前記閉位置の間で揺動可能に枢支される便座蓋体を有することが望ましい。
【発明の効果】
【００１２】
上記構成を有することから本発明のトイレシステムは使用者による手洗いを予測して手洗い手段が温水を速やかに吐出できるように準備できるので、手洗い手段に温水を常に準備すること無しに使用者は何時でも快適に手洗いができる。
【発明を実施するための最良の形態】
【００１３】
本実施形態のトイレシステムに基づいて本発明のトイレシステムを以下詳細に説明する。
【００１４】
（構成）
本実施形態のトイレシステムは給湯手段と便座と局部洗浄手段と手洗い手段と制御手段とその他必要な手段とを有する。
【００１５】
給湯手段はトイレシステムに一体的に組み込まれた形式の装置でもよいし、住宅全体の給湯用に設けられている外部の温水器などの装置であってもよい。得られる温水は、給湯手段により温度調節を行うことができるほか、給湯手段から供給される温水と上水道などの外部からの給水源からの給水とを任意の割合で混合できる混合弁を採用して温度調節を行うこともできる。また、後述する洗浄ノズル、温水暖房手段及び手洗い手段のそれぞれについて混合弁を設けてそれぞれ適正な温度の温水になるように制御することも可能である。
【００１６】
便座は使用者が快適に着座できるように暖房する温水暖房手段をもつ。温水暖房手段は給湯手段から供給される温水により便座の暖房を行う手段であり、給湯手段から供給される温水を内部に循環させることで便座を暖める手段である。例えば、便座の内部に温水が循環できる配管を配置したり、温水を入れることができる空洞を便座内部に形成した構成が例示できる。便座内の空洞や配管をそのまま温水の貯湯タンクとして用いることも可能である。
【００１７】
そして、便座内において温水を循環させる部分を囲む面のうち、便座の着座面側は熱伝導に優れた材料から構成することが望ましい。そして、その他の面側は断熱性が高い材料から構成することが望ましい。特に、着座面側は着座面の表面に至るまで熱伝導性の高い材料にて形成することで、温水によって速やかに着座面表面を暖めることができるので、使用に応じて瞬間的に暖房を行うことが容易になる。
【００１８】
便座として温水が循環できるように配管を配置する場合には、便座の着座面側に配管を近接させることが望ましい。その場合に、便座内部を空洞とし、その空洞内部の着座面側に配管を設けることが望ましい。配管を設ける方法は特に限定しないが、別体の配管を便座内部に形成した空洞の内側に着設したり、便座の着座面側に溝を形成してその溝に覆いをかぶせることで配管が形成したりできる。
【００１９】
後者の溝を形成する方法によると、配管が直接、着座面側に露出するので温水からの熱が速やかに伝導可能である。この場合に、溝を覆って配管の一部となり着座面側に直接、露出する部分の面の中央部分の熱伝導性をその周辺部分よりも相対的に低くすることが望ましい。
【００２０】
便座内面に別体とした配管を配設する場合においても、その配管が接する部分において、接する部分の面の中央部分の熱伝導性をその周辺部分よりも相対的に低くすることが望ましい。つまり、配管から最も熱伝導し易い中央部分の熱伝導性をその両側よりも低くすることで熱の伝導性が平準化でき、着座面における熱伝導のムラが少なくなる。
【００２１】
例えば、幾重にも折り重なるように着座面側の内面に配管が着設されている場合には、配管が内面に接する部分の形状は折り重なった帯状となる。その場合に、便座の着座面は全体としては熱伝導性に優れる材料（アルミニウムなどの金属）にて形成し、配管が接する部分である帯の中央部分には熱伝導性が低い材料（例えば、何らかの樹脂）を介設することで配管からの熱伝導を抑制することが望ましい。その結果、帯の中央部分への熱伝導は周辺部分からの熱伝導よりも遅くなり、全体としての熱伝導のムラが少なくなる。
【００２２】
更に、熱伝導性が高い材料で配管を形成することにより、配管内に流れる温水の熱が配管の内面から着座面に向けて配管の全体を通じて効果的に伝達できる。熱伝導性が高い配管としては配管自身を熱伝導性が高い材料から構成する方法、配管の周囲を熱伝導性が高い材料で囲む方法などがある。
【００２３】
局部洗浄手段は洗浄ノズルをもち、人体の局部を洗浄水にて洗浄する手段である。洗浄ノズルから洗浄水を吐出して局部を洗浄する。洗浄水には温水を用いることもできる。温水は給湯手段から供給されるものを使用する。
【００２４】
手洗い手段は使用者が必要に応じて手洗いを行うために用いる手段である。手洗い手段は手洗い用水栓と手洗い用配管と分岐手段とを備える。手洗い用配管は給湯手段から供給される温水を手洗い用水栓に導くための配管である。手洗い用水栓の直前に分岐手段を備える。分岐手段は手洗い用水栓に至る前の手洗い用配管からの流れの全部乃至一部を分岐する手段である。手洗い用配管からの流れの全部乃至一部を分岐手段により分岐しながら手洗い用配管に温水を供給することで配管内を適正温度の温水にて置換できる。分岐した温水はそのまま廃棄してもよいし、給湯手段に戻してもよいし、洗浄ノズル用の温水や便座暖房用の温水として使用してもよい。
【００２５】
制御手段は動作検知センサを備え、その動作検知センサの検知結果に基づき制御を行う手段である。制御手段は給湯手段から手洗い用配管に温水を供給し且つ手洗い用配管からの流れの全部乃至一部を分岐手段により分岐させる。流れを分岐しながらの温水供給は手洗い用配管内の温度が適正な温度になるまで行う。制御手段はトイレシステムにおけるその他の制御についても併せて行うことができる。その他の制御としては便器の洗浄、局部洗浄用のノズルによる局部洗浄、脱臭手段の作動、乾燥手段の作動などである。
【００２６】
動作検知センサは使用者の所定動作を検知するセンサである。所定の動作は使用者が手洗いを行う前に必然的に現れることが期待できる動作である。所定動作としては、便座からの立ち上がり、使用者の便座や便器などへの接近、便器内の洗浄、局部洗浄の開始若しくは終了、局部乾燥の開始若しくは終了、トイレットペーパの使用、トイレシステム内における照明のオンオフなどが挙げられる。
【００２７】
便座からの立ち上がり便座に着座センサを配置することで検知可能である。使用者の便座や便器への接近はトイレシステム内に配置した人検知センサにより検知可能である。便器内の洗浄は便器洗浄用操作スイッチや便器洗浄用操作レバーの操作などにより検知可能である。局部洗浄、局部乾燥の開始若しくは終了は局部洗浄用操作スイッチなどにより検知可能である。トイレットペーパの使用はトイレットペーパホルダの動きを検知する動作検知センサを配置することで検知可能である。トイレシステム内における照明のオンオフは照明用スイッチにより検知可能である。
【００２８】
特に望ましい態様としては、動作検知センサとして着座センサ及び人検知センサのうちの少なくとも一方を採用し、検知する使用者の所定動作としては、着座センサが検知する使用者の便座からの立ち上がり動作及び／又は人検知センサが検知する使用者の接近動作を用いることが望ましい。
【００２９】
ここで、動作検知センサとして人検知センサを備えるときに、制御手段はその人検知センサが検知した使用者の接近動作に基づいて、給湯手段から温水暖房手段に温水を供給させるように制御することが望ましい。人の接近を検知して便座暖房を行うことで暖房を必要なときに行うことができるので、人がいない暖房不要時のエネルギー消費を少なくできる結果、暖房に要するエネルギーが低減できる。動作検知センサとして着座センサを更に備えることで、制御手段は人検知センサが人の接近を検知した後、着座センサが使用者の便座への着座を所定時間検知しない場合に給湯手段から温水暖房手段への温水供給を停止するように制御することができる。人の接近を検知した後、所定時間以上、着座しない場合は男性による小用であると判断して便座の暖房を停止することができる。
【００３０】
その他必要な手段としては便座蓋体、便器、便器洗浄手段、局部乾燥手段、脱臭手段などである。特に便座の暖房効率を向上するために便座蓋体として断熱性に優れた構成を採用することが望ましい。
【００３１】
例えば、蓋断熱部材とパッキングとを備えることで便座の着座面側を隙間なく覆うことで暖房効率を上げる構成が挙げられる。この蓋断熱部材は閉位置において便座の着座面を広がり方向に隙間なく覆い且つ断熱性が高い材料から形成されるものであり、パッキングは閉位置において着座面の周囲を囲むように蓋断熱部材の着座面側に設けられ便座に密着して着座面側の空間を密閉する部材である。
【００３２】
（作用効果）
本実施形態のトイレシステムは動作検知センサにより検知した使用者の所定動作に基づいて、手洗い手段、便座の温水暖房手段などの制御を行う。
【００３３】
手洗い手段の制御としては手洗い手段の使用を予測して手洗い用水栓の直前に至るまでの手洗い用配管内に温水が満たされるように準備することで、使用開始直後から快適温度の温水による手洗いが可能になる。
【００３４】
人検知センサ、着座センサにより使用者の所定動作を検知する場合を例に挙げて説明を行う。
【００３５】
使用者がトイレシステム内に入ると人検知センサにより検知される。制御手段は使用者の接近を検知すると、便座蓋体を開状態にしたり、便座の温水暖房手段に温水を供給して便座の暖房を開始する。便座の暖房は着座センサからの検知が所定時間以上ない場合には中断することができる。
【００３６】
制御手段は、使用者の着座を着座センサが検知すると、プレ洗浄、脱臭手段の作動、便座の暖房、局部洗浄手段の作動の許可などを開始する。
【００３７】
制御手段は、使用者が立ち上がったことを着座センサが検知すると、手洗い手段における手洗い用配管内を温水で置換するために手洗い用配管からの流れの全部乃至一部を分岐手段により分岐させながら、給湯手段から手洗い用配管に温水を供給する。供給された温水は、手洗い用配管を通過し、分岐手段により手洗い用水栓には到達せずに手洗い用配管内を温水にて置換できる。
【００３８】
その後、使用者が手洗い用水栓から水を吐出させるときには手洗い用配管内に準備しておいた温水を速やかに供給することが可能になる。
【００３９】
使用者が立ち上がったことを着座センサにより検知した場合に便器洗浄や脱臭手段を作動させることや便座蓋体を閉じることも可能である。
【実施例】
【００４０】
本実施例のトイレシステムは、図１に示すように、給湯手段１１〜１５と便座２１及び２２と便座蓋体（図略）と局部洗浄手段３１及び３２と手洗い手段４１〜４４と操作パネル５１と便器本体６１と壁部材８１と排水口９１と各種センサ（図略）と制御手段（図略）とを有する。図１において、点線は温水が流れる配管を示し、矢印方向に温水が流れることを示す。
【００４１】
給湯手段１１〜１５は貯湯タンク１１とポンプ１２と混合バルブユニット１３と外部給水口１４と流路切替バルブユニット１５とを備える。貯湯タンク１１は湯を沸かして高温の湯を貯める手段である。貯湯タンク１１には外部給水口１４から水が供給されると共に貯められた湯を外部に供給することができる。また、貯湯タンク１１は暖房などに用いた温水から熱が回収できるように熱交換器（図略）が内蔵されており、その熱交換器には便座暖房に用いた温水及び手洗い手段からの温水が流入でき、外部給水口１４からの水との間で熱交換を行った後に排水口９１に排水される。排水口９１へはその他余剰した水も排水できるように接続されている。
【００４２】
また、使用によって温度が低下した温水を回収し、内部に配設した熱交換器により熱を回収して外部給水口１４からの水を加熱することができる。
【００４３】
ポンプ１２は貯湯タンク１１からの湯を加圧して混合バルブユニット１３に供給する手段である。混合バルブユニット１３はポンプ１２により供給される湯と外部給水口１４からの水とを任意割合で混合して目的とする温度の温水にして切替バルブユニット１５に供給する手段である。切替バルブユニット１５は供給される温水の流れを切り替えて温水が必要な部位に供給する手段である。
【００４４】
便座２１及び２２は便座本体２１とその着座面側に近接するよう配設された温水循環用配管２２とを備える。便座本体２１は、図２に示すように、着座面側の第１部材２１１と反対側の第２部材２１２との２つの部材が合わさり内部に空洞を形成している。温水循環用配管２２は便座本体２１の着座面側部材２１３に溝２２ａを設け、着座面側に覆い２２ｂを形成して温水の配管２２を形成している。着座面側部材２１３は第１部材２１１の着座面側に断熱部材２１４を介して接合している。配管２２は４つ形成されており、図面の向かって左側の２つが図１において点線で示した温水の流路の内側に相当し、右の２つが図１における温水の流路の外側に相当する。温水循環用配管２２は一端部が給湯手段の流路切替バルブユニット１５に接続され、他端部が貯湯タンク１１の熱交換器に接続されている。
【００４５】
便座蓋体は閉位置において便座を覆い隠す部材である。便座蓋体は暖房されている便座の着座面からの放熱を抑制するために蓋断熱部材７２及びパッキング７３を備える。蓋断熱部材７２は便座の着座面において暖房されている着座面側部材２１３を広がり方向に隙間なく覆っている。パッキング７３は閉位置において着座面の周囲を囲むように蓋断熱部材７２の着座面側に設けられている。パッキング７３は便座の着座面に密着して着座面側の空間を密閉する。密閉することで着座面からの熱が流出し難くなって暖房効率が向上する。
【００４６】
局部洗浄手段３１及び３２は本体部３２と洗浄ノズル３１とを備える。洗浄ノズル３１は洗浄が必要なときに伸長し、先端に設けられた噴射口から洗浄水を局部に向けて噴射する。本体部３２は洗浄ノズル３１が使用されていないときに収納したり、洗浄ノズル３１の動作や洗浄ノズル３１からの洗浄水の噴射を制御する手段である。洗浄ノズル３１には本体部３２を介して流路切替バルブユニット１５から温水が供給されるように接続している。
【００４７】
手洗い手段４１〜４４は手洗い用水栓４１と手洗い用配管４２と分岐手段４３と戻り配管４４と洗浄ボタンとを備える。手洗い用配管４２は一端が流路切替バルブユニット１５に接続され、他端が分岐手段４３に接続される。手洗い用水栓４１は分岐手段４３に接続されており洗浄ボタンにより開く弁をもつ。分岐手段４３は手洗い用配管４２から流入する温水の流れを手洗い用配管４２及び戻り配管４４のいずれかに導くように切り替える手段である。戻り配管４４は貯湯タンク１１内の熱交換器に接続されている。
【００４８】
操作パネル５１は便器本体６１の洗浄、便座の暖房、局部洗浄手段の制御などのトイレシステムについて操作を行うための操作パネルである。操作パネル５１を操作した信号は制御手段に出力される。
【００４９】
各種センサとしては使用者の接近を検知する人検知センサ、着座センサ、温水や環境の温度センサ、照度センサなどを備える（図略）。人検知センサはトイレシステム後部に設けられている。着座センサは便座に設けられている。各センサからの信号は制御手段に出力されている。
【００５０】
制御手段は操作パネル５１、各種センサなどから入力される信号に基づきトイレシステムを制御する手段である。
【００５１】
（作用効果：便座の暖房に関して（暑いときには冷水を循環させる便座冷房に応用することも可能である））
・必要に応じて便座の暖房を行う場合
操作パネルの操作や環境温度から便座の暖房が必要である場合に、制御手段はトイレシステム内への使用者の進入を人検知センサが検知すると、便座の暖房を開始する。具体的には、ポンプ１２を作動させて貯湯タンク１１から混合バルブユニット１３に温水を供給し、適正な温度になるように混合バルブユニット１３を調節する。切替バルブユニット１５を切り替えて混合バルブユニット１３からの温水を温水循環用配管２２に流れるように切り替える。温水循環用配管２２に温水が流れることで便座２１の着座面側は速やかに暖められる。着座面の反対側には断熱部材１４が配置されているので温水循環用配管からの熱は着座面側に伝達されて着座面を主に暖めることになる。
【００５２】
混合バルブユニット１３は最初の着座面側の温度が低いときに相対的に高温の温水を供給するように制御し、その後、着座面の温度が目的の適正温度範囲に至った場合に温水温度を低下させる。また、着座面の温度が適正である場合には温水循環用配管２２への温水の供給を断続的にすることも可能である。
【００５３】
その後、所定時間、使用者が便座に着座しない場合、使用者が便座を使用しないものと判断して温水循環用配管２２への温水の供給を停止する。使用者が着座しない場合としては男性による小便器としてのみの使用態様、便器清掃などである。
【００５４】
その後、着座センサが使用者の着座を検知した場合には速やかに温水循環用配管２２への温水の供給を再開して便座を暖房する。また、便座の着座の有無の他、使用者の操作により便座が開状態にされた場合も便座の使用はないものと判断して速やかに便座暖房を停止することができる。
【００５５】
・便座暖房を連続的に行う場合
制御手段は便座の着座面の温度が適正になるように温水温度及び量を調節して温水循環用配管２２への温水の供給を行う。温水循環用配管２２は断熱部材２１４、蓋断熱材７２及びパッキング７３により囲まれて断熱・密閉されているので着座面からの放熱が抑制される。従って、暖房効率が向上する。
【００５６】
（作用効果：手洗い手段の制御に関して）
制御手段は使用者による手洗い手段の使用を予測して、手洗い用配管４２内を温水にて置換する。温水による置換は分岐手段４３を戻り配管４４側に切り替えた状態で手洗い用配管４２に温水を供給することで行う。
【００５７】
供給された温水は手洗い用配管４２を経て分岐手段４３を通り戻り配管４４から貯湯タンク１１の熱交換器に戻る。手洗い用配管４２内が温水にて置換された後に温水の供給を停止し、分岐手段４３を手洗い用水栓４１側に切り替える。
【００５８】
その後に、使用者が洗浄ボタンを押したときには手洗い用水栓４１の直前まで温水にて置換されているのですぐに暖かい快適な温水が供給される。
【００５９】
制御手段は動作検知センサが所定動作を検知したときに手洗いを行うと予測している。所定動作としては、着座した状態から立ち上がった状態に使用者が移行する動作を採用し、動作検知センサとしての着座センサが立ち上がりを検知したときに上述した手洗い用配管４２内を温水にて置換する動作を行う。
【００６０】
その他にも使用者が便器内を洗浄する動作を所定動作とすることができる。単独で所定動作に採用することもできるが、立ち上がりの動作と組み合わせて所定動作とすることで、より確実に手洗いが予測できる。
【００６１】
（変形態様）
実施例のように便座本体２１の着座面側に温水循環用配管としての溝を形成することに代えて、形成した溝の中に別部材から構成した配管２２ａを配置することもできる。その場合に、図３に示すように、配管２２ａの上下面（着座面側及び反対側の面）からアルミニウムなどの熱伝導性に優れた材料から構成される熱伝導性膜２１５及び２１６にて挟み込むことで配管２２ａからの熱を効果的に着座面側に伝熱することができる。着座面に対して反対側の面の熱伝導性膜２１６は便座本体２１の着座面側に形成した溝２１３ａの壁には接触しないように配置することで配管２２ａからの熱は熱伝導性膜２１６を介して効果的に着座面に伝熱する。
【００６２】
更に、図４に示すように、着座面側にて配管２２ａが接する部分である、熱伝導性膜２１５ａと着座面を形成する薄膜２１７との間に熱伝導性膜２１５よりも熱伝導性が低い材料からなる低熱伝導性部材２１８を介装することで、比較的熱が伝わりやすい配管２２ａが接する部分の熱伝導性を低下させることで全体としての熱伝導性を均一化できる。
【００６３】
その他に、図５に示すように、低熱伝導性部材２１８の介装に代えて、その部分における着座面を形成する薄膜２１７ａの厚みを相対的に厚くすることで熱の伝導を低くできるので、比較的熱が伝わりやすい配管２２ａが接する部分の熱伝導性を低下させることが可能になり全体としての熱伝導性を均一化できる。
【図面の簡単な説明】
【００６４】
【図１】本実施例におけるトイレシステムの概略図である。
【図２】図１に示したトイレシステムにおける便座のII-II断面図である。
【図３】変形態様における便座の概略断面図である。
【図４】変形態様における便座の概略断面図である。
【図５】変形態様における便座の概略断面図である。
【符号の説明】
【００６５】
１１…貯湯タンク
１２…ポンプ
１３…混合バルブユニット
１４…外部給水口
１５…切替バルブユニット
２１…便座本体
２２、２２ａ…温水循環用配管
３１、３２…局部洗浄手段
４１…手洗い用水栓
４２…手洗い用配管
４３…分岐手段
４４…戻り配管
５１…操作パネル
６１…便器本体
８１…壁部材
【図１】
2008082054.tif 000003
【図２】
2008082054.tif 000004
【図３】
2008082054.tif 000005
【図４】
2008082054.tif 000006
【図５】
2008082054.tif 000007